(57)【要約】  【課題】初期の設備投資を軽減するとともに、付加機能を容易に追加する。  【解決手段】壁面に埋込設置するスイッチ装置11に、操作部31と、ソケット33とを備える。スイッチ装置11の制御部23は、スイッチ部26により負荷を制御するとともに、負荷電流検知部25により負荷の状態を検知する。ソケット33に無線アダプタ44を装着していない状態では、操作部31により負荷を制御する。ソケット33に無線アダプタ44を装着すると、外部の無線機器と送受信を行い、外部の無線機器を用いて、負荷の制御及び状態の確認が可能になる。必要に応じてソケット33に無線アダプタ44を接続することにより、付加機能を容易に追加できる。  【選択図】図１
2006134841.tif 000002
【特許請求の範囲】
【請求項１】
造営面に設置される装置本体と；
負荷の状態を変更するスイッチ手段と；
スイッチ手段を制御するとともに負荷の状態を検出する制御手段と；
装置本体に設けられ制御手段に信号を出力する操作手段と；
制御手段に信号を出力可能であるとともに制御手段からの信号を入力可能な無線アダプタを接続可能な接続部と；
を具備したことを特徴とするスイッチ装置。
【請求項２】
装置本体とは別体に設けられ、スイッチ手段を備え、操作手段からの信号と、無線アダプタを含む他の手段からの信号が入力され、これら信号によりスイッチ手段を制御するコントローラユニットを備えた
ことを特徴とする請求項１記載のスイッチ装置。
【請求項３】
制御手段は、装置本体に設けた操作手段以外の他の手段の信号によりスイッチ手段を制御する場合は、通知を行い、所定時間の経過後にスイッチ手段により負荷の状態を変更する
ことを特徴とする請求項１または２記載のスイッチ装置。
【請求項４】
制御手段に中止信号を入力する中止手段を備え、
制御手段は、所定時間の経過前に中止信号を受信した場合は、スイッチ手段による負荷の状態の変更を中止する
ことを特徴とする請求項３記載のスイッチ装置。
【請求項５】
制御手段に優先信号を入力する優先切換手段を備え、
制御手段は、優先信号を受信した場合には、所定の手段から出力された信号以外の信号によるスイッチ手段の制御を停止する
ことを特徴とする請求項１ないし４いずれか一記載のスイッチ装置。
【請求項６】
制御手段は、操作手段及び無線アダプタを含む他の手段のいずれか一からの信号を受け付けた場合には、所定時間が経過するまでいずれか他の手段からの信号を受け付けない
ことを特徴とする請求項１ないし５いずれか一記載のスイッチ装置。
【発明の詳細な説明】
【技術分野】
【０００１】
本発明は、造営面に設置されるスイッチ装置に関する。
【背景技術】
【０００２】
従来、壁面などの造営面に設置されるスイッチ装置において、スイッチを直接に手動操作するための操作部を設けるとともに、リモコン操作器から送信される赤外線の制御信号を受信する受信部を設け、遠隔操作を可能とした構成が知られている（例えば、特許文献１参照。）。
【特許文献１】特開平１１−２５８２２号公報（第１頁、図２）
【発明の開示】
【発明が解決しようとする課題】
【０００３】
しかしながら、造営面に設置されるスイッチ装置においては、スイッチ装置の取り替え作業は容易ではないため、現状で必ずしも必要がなくとも、将来遠隔操作が必要となる可能性がある位置には、受信部を備えたスイッチ装置を設置する必要があり、設備の初期投資が大きくなる問題を有している。また、リモコン機能以外の付加機能を、設置後に追加することは困難であった。
【０００４】
本発明は、このような点に鑑みなされたもので、初期の設備投資を軽減可能であるとともに、付加機能を容易に追加可能なスイッチ装置を提供することを目的とする。
【課題を解決するための手段】
【０００５】
請求項１記載のスイッチ装置は、造営面に設置される装置本体と；負荷の状態を変更するスイッチ手段と；スイッチ手段を制御するとともに負荷の状態を検出する制御手段と；装置本体に設けられ制御手段に信号を出力する操作手段と；制御手段に信号を出力可能であるとともに制御手段からの信号を入力可能な無線アダプタを接続可能な接続部と；を具備したものである。
【０００６】
無線アダプタは、例えば、２．４５ＧＨｚ周波数帯を用いるＢＬＵＥＴＯＯＴＨ（登録商標）規格や、適宜の無線ＬＡＮの規格などを用いる。
【０００７】
操作手段は、例えば、プッシュスイッチやレバースイッチなどの機械式スイッチ、赤外線の発光部及び受光部を備えた近接センサ、指などの接触の有無を検出するセンサであるいわゆるタッチスイッチである接触センサ、人体の存否を検出する人感センサ、あるいは別体の赤外線ワイヤレスリモコンから送信される赤外線の信号を受信する赤外線受信装置などを用いる。
【０００８】
造営面に設置とは、例えば、壁面に埋込設置することである。
【０００９】
負荷は、例えば照明装置、空調装置、家電器具、防犯装置である。
【００１０】
そして、この構成では、造営面に設置される装置本体に設けられた操作手段を操作して制御部で制御されることにより、負荷の状態を変更できる。そして、必要に応じて無線アダプタを接続部に接続することにより、この無線アダプタと通信する機器を用いて、負荷の状態を変更できるとともに、負荷の状態を確認できる。無線アダプタは必要に応じて接続すれば良いため、初期の設備投資の軽減が可能になる。負荷を制御するとともに負荷の状態を検出する制御手段を備えたため、無線アダプタを接続部に接続することにより、無線アダプタと通信する機器を用いて、負荷の細かい制御が可能になる。装置本体の設置後においても、無線アダプタを装着することにより、付加機能が容易に追加される。
【００１１】
請求項２記載のスイッチ装置は、請求項１記載のスイッチ装置において、装置本体とは別体に設けられ、スイッチ手段を備え、操作手段からの信号と、無線アダプタを含む他の手段からの信号が入力され、これら信号によりスイッチ手段を制御するコントローラユニットを備えたものである。
【００１２】
この構成では、例えば、装置本体は壁に設置され、コントローラユニットは天井に配置されて互いに配線で電気的に接続される。コントローラユニットには、他の手段として装置本体以外のスイッチ装置を接続し、また、複数系統の負荷を接続することも可能である。
【００１３】
そして、この構成では、装置本体を小形化することが容易になり、スイッチ手段の負荷容量を確保しつつ装置本体を１連用壁スイッチボックスに収納することが可能になる。
【００１４】
請求項３記載のスイッチ装置は、請求項１または２記載のスイッチ装置において、制御手段は、装置本体に設けた操作手段以外の他の手段の信号によりスイッチ手段を制御する場合は、通知を行い、所定時間の経過後にスイッチ手段により負荷の状態を変更するものである。
【００１５】
通知は、例えば、ブザー音、合成音声、振動、光の明滅（フラッシュ）、あるいは負荷の動作例えば照明装置の点滅などにより行う。
【００１６】
負荷の状態の変更とは、例えば照明装置の消灯である。
【００１７】
そして、この構成では、遠隔地などからの制御による負荷の状態の変化を、負荷の近傍に位置する人に予め通知し、不意に負荷の状態が変化することによる不快感や操作性の悪化を防止できる。
【００１８】
請求項４記載のスイッチ装置は、請求項３記載のスイッチ装置において、制御手段に中止信号を入力する中止手段を備え、制御手段は、所定時間の経過前に中止信号を受信した場合は、スイッチ手段による負荷の状態の変更を中止するものである。
【００１９】
中止手段は、例えば操作手段を兼用して実現する。
【００２０】
そして、この構成では、遠隔地などからの制御による負荷の状態の変化を、負荷の近傍に位置する人が中止することが可能になり、利便性を向上できる。
【００２１】
請求項５記載のスイッチ装置は、請求項１ないし４いずれか一記載のスイッチ装置において、制御手段に優先信号を入力する優先切換手段を備え、制御手段は、優先信号を受信した場合には、所定の手段から出力された信号以外の信号によるスイッチ手段の制御を停止するものである。
【００２２】
優先切換手段は、例えば装置本体に設けた専用のスイッチを用い、あるいは、操作手段に長押しなど所定の動作を行うことにより実現する。
【００２３】
そして、この構成では、遠隔地などからの制御による負荷の状態の変化を、負荷の近傍に位置する人が予め停止することが可能になり、利便性を向上できる。
【００２４】
請求項６記載のスイッチ装置は、請求項１ないし５いずれか一記載のスイッチ装置において、制御手段は、操作手段及び無線アダプタを含む他の手段のいずれか一からの信号を受け付けた場合には、所定時間が経過するまでいずれか他の手段からの信号を受け付けないものである。
【００２５】
そして、この構成では、操作手段の操作による信号と、無線アダプタ経由の信号とが競合して誤動作が生じることが抑制される。
【発明の効果】
【００２６】
本発明のスイッチ装置によれば、造営面に設置される装置本体に設けられた操作手段を操作して制御部で制御されることにより、負荷の状態を変更できる。そして、必要に応じて無線アダプタを接続部に接続することにより、この無線アダプタと通信する機器を用いて、負荷の状態を変更できるとともに、負荷の状態を確認できる。無線アダプタは必要に応じて接続すれば良いため、初期の設備投資を軽減できる。負荷を制御するとともに負荷の状態を検出する制御手段を備えたため、無線アダプタを接続部に接続することにより、無線アダプタと通信する機器を用いて、負荷を細かく制御できる。装置本体の設置後においても、無線アダプタを装着することにより、付加機能を容易に追加できる。
【発明を実施するための最良の形態】
【００２７】
以下、本発明のスイッチ装置の一実施の形態を図１ないし図１０を参照して説明する。
【００２８】
図１は本発明のスイッチ装置の本発明のスイッチ装置の一実施の形態を示すブロック図、図２は同上スイッチ装置の造営面に取り付けた状態の説明図、図３は同上スイッチ装置の無線アダプタを取り外した状態の正面図、図４は同上スイッチ装置の無線アダプタを取り外した状態の底面図、図５は同上スイッチ装置の無線アダプタを取り付けた状態の正面図、図６は同上スイッチ装置のカバーの一部を取り外した状態の側面図、図７は同上スイッチ装置のカバーの一部を取り外した状態の正面図、図８は同上スイッチ装置のカバーの一部を取り外した状態の底面図、図９は同上スイッチ装置の動作を示す説明図であり、（a）は無線アダプタを取り外した状態、（b）は無線アダプタを取り付けた状態、図１０は同上スイッチ装置を操作する外部の無線機器の操作画面の説明図である。
【００２９】
図１ないし図９において、11はスイッチ装置で、このスイッチ装置11は、造営面としての家屋の室内の壁面12に埋込設置して取り付けられる３モジュール構造の配線器具形状をなす壁スイッチを構成している。そして、図２に示すように、壁面12には、縦長矩形状の開口部14が開口形成され、この開口部14に取り付けられたスイッチボックス15及びサポート16を介し、装置本体18及びこの装置本体18の表面側を覆うカバー20が取り付けられている。
【００３０】
そして、スイッチボックス15は、開口部14を覆うようにして壁面12の裏面側に設置され、壁面12の裏面側に配線される電力線及び信号線などの電線が引き込まれて装置本体18に接続される。そして、スイッチボックス15の前面は開口され、この前面開口の上下の部分から、互いに対向して取付片15aが突設されている。そして、各取付片15aには、ねじ孔である取付部が形成されている。また、サポート16は、ＪＩＳ規格で定められた金属製あるいは樹脂製の枠状の標準サポートで、取付片15aの取付部に螺合するねじにより、スイッチボックス15に固定して取り付けられる。
【００３１】
また、装置本体18は、ＪＩＳ規格で定められた３モジュールタイプの形状で、サポート16に係合などして固定されている。そして、装置本体18を覆うカバー20は、装置本体18の表面側を覆う第１のカバー21と、この第１のカバー21を囲む枠状の第２のカバー22とを備えている。
【００３２】
そして、この装置本体18は、箱状をなす樹脂製の筐体の内側に、図１に示すように、制御手段を構成する制御部23、記憶部24及び状態検知部である負荷電流検知部25と、スイッチ手段を構成するスイッチ部26及び位相制御部27と、操作手段としての操作部31と、接続部としてのソケット33と、表示手段である表示部35及びスピーカ部36と、電線が接続される端子部38と、電源部39となどを備えている。
【００３３】
そして、端子部38には、電線を介して電源としての商用交流電源Ａ及び照明装置などの負荷Ｌの電源線が接続され、電源部39が商用交流電源Ａから直流電源を生成し、各部に電力を供給する。
【００３４】
また、制御部23は、例えば回路基板上に実装されたＣＰＵ、いわゆるマイコンなどにて構成され、各部に電気的に接続され、各部からの信号が入力されるとともに、各部へ信号などを出力して制御するようになっている。すなわち、制御部23には、操作部31が接続され、この操作部31を手動操作する毎に、操作部31が負荷Ｌをオンオフ反転動作させる手動操作制御信号を出力する。そして、この手動操作制御信号に応じて、制御部23が負荷制御信号を発生し、この負荷制御信号に応じて、リレーなどを備えたスイッチ部26が負荷Ｌへの電源供給をオンオフする。また、制御部23の負荷制御信号に応じて、位相制御部27が位相を変化させ、供給する電力の大きさを変化させる。なお、この実施の形態では、操作部31は、赤外線の発光部と受光部とを備えるとともに、これら発光部と受光部とを保護する窓部31aを備えた近接センサであり、図９（a）に示すように、窓部31aの近くに手をかざすことにより、負荷Ｌをオンオフできる。また、窓部31aは、例えば第１のカバー21の表面に一体的に設けられ、赤外線を透過するとともに、赤外線を集光するレンズ機能などを有している。そして、負荷電流検知部25が検知した負荷Ｌの電流、及び、負荷制御信号などを記憶部24に記憶などすることにより、制御部23が負荷Ｌの状態、例えば、照明装置についてはランプの点灯、調光、消灯などを管理する。
【００３５】
そして、表示部35は、例えば１個の発光ダイオード（ＬＥＤ）を備え、制御部23に制御されて、操作内容及び負荷Ｌなどの状態を点滅あるいは色などにより伝える。また、スピーカ部36は、スピーカ、増幅器、音声合成装置などを備え、制御部23に制御されて、操作内容及び負荷Ｌなどの状態をブザー音あるいは合成音声などの音により伝えるものである。
【００３６】
また、ソケット33は、制御部23に電気的に接続されるとともに、装置本体18の他の部分より表面側に突出して回路基板などに機械的に取り付けられ、下方に開口する状態で装置本体18に設けられている。すなわち、このソケット33には、必要に応じて、装置本体18とは別体をなす無線アダプタ44の被接続部としてのプラグ45が下方から挿入して着脱可能に電気的及び機械的に接続される。そして、図５及び図６に示すように、ソケット33には、９本の端子（９Ｐ）33aとこれら端子33aを囲む扁平な筒状の取付部33bとが設けられ、プラグ45には、ソケット33の端子33aに電気的に接続される９本の端子と、取付部33bに嵌合して機械的及び電気的に接続される扁平な筒状の筒状部とが設けられている。そして、これらソケット33とプラグ45との互いに接続された端子33aを介して、装置本体18の制御部23と無線アダプタ44側とが信号を入出力可能にかつ装置本体18側から無線アダプタ44側に電力を供給可能に接続される。また、第１のカバー21の略中央部には、ソケット33を覆うソケット覆い部21bが表面側に突出して設けられているとともに、このソケット覆い部21bの下部には、ソケット33の開口を下方に露出させる開口部21cが設けられている。
【００３７】
そして、無線アダプタ44は、無線通信カードリッジ、無線ユニット、無線モジュールなどとも呼ばれるもので、プラグ45の下側に、幅寸法、高さ寸法、及び厚さ寸法のいずれものプラグ45より大きいアダプタ本体部46が設けられている。そして、このアダプタ本体部46には、無線機能、本実施の形態では２．４５ＧＨｚ周波数帯を用いるＢＬＵＥＴＯＯＴＨ（登録商標）規格で外部の無線機器51と無線通信を可能とする装置が組み込まれている。
【００３８】
そこで、このスイッチ装置11は、図２に２点鎖線で示すように、無線アダプタ44を装着することにより、無線アダプタ44を認識した制御部23により設定が自動的に変更され、図９（b）に示すように、無線機器51を用いた外部の離れた場所からの遠隔操作として、オンオフなどの無線信号を送受信し、外部からの操作による制御信号を無線アダプタ44で受信して制御部23に入力できるとともに、負荷Ｌの状態を無線アダプタ44から外部に送信し、外部の無線機器51で受信して確認できるようになっている。
【００３９】
また、外部の無線機器51としては、いわゆるタッチパネルの液晶表示装置などを備えた専用の操作端末の他、ＢＬＵＥＴＯＯＴＨ（登録商標）規格での無線通信が可能な携帯電話52を用いることができ、さらに、無線通信が可能であるとともにインターネットなどのネットワーク54と接続可能なアクセスポイント機器55を用いることにより、インターネット経由でスイッチ装置11すなわち負荷Ｌを操作することが可能になっている。
【００４０】
また、負荷Ｌは、照明装置の他、空調装置、冷蔵庫、調理器具、洗濯機、防犯装置などに適用できる。
【００４１】
図１０に、携帯電話52により負荷Ｌとしての家庭の照明装置を制御及び確認する操作画面60の例を示す。この操作画面60では、照明装置の一覧61が示されるとともに、各照明装置について、オンオフの状態62が示され、照明装置の点灯状態を確認できる。そして、操作者は、十字ボタンなどを操作し、選択の欄63にチェックを付した状態で、オンのアイコン64またはオフのアイコン65を選択し、さらに決定のアイコン66を選択して実行操作をすることにより、選択した照明装置について一斉にオンまたはオフに切り換える制御を実行できる。
【００４２】
このように、本実施の形態によれば、壁面12に埋込設置される配線器具形状のスイッチ装置11すなわち壁スイッチであって、装置本体18の操作部31を操作することにより、負荷Ｌの状態を変更し、例えば照明器具をオンオフできる。そして、必要に応じて無線アダプタ44をソケット33に挿入して接続することにより、制御部23の制御に基づき、この無線アダプタ44と通信する無線機器51を用いて、負荷Ｌの状態を変更できるとともに、負荷Ｌの状態を確認できる。そして、ＢＬＵＥＴＯＯＴＨ（登録商標）規格などの無線すなわち無線電送技術を用いることにより、例えば従来用いられている赤外線リモコンに比べ、双方向の通信が可能になり、離れた場所から負荷Ｌの状態を監視できるとともに、遮蔽物を超えて別の部屋からの負荷Ｌの制御及び監視も行うことができる。また、このスイッチ装置11は埋込型であるため、例えば、天井造営面のローゼットなどのコンセントと照明器具との間に設置する構成に比べ、外観を容易に向上できるとともに、造営面に密着して設置する直付形の照明器具用のスイッチ装置11として適用することもできる。
【００４３】
そして、無線アダプタ44は、いわばカートリッジ式であり、無線アダプタ44を接続していない状態では、制御部23の制御に基づき、操作部31により負荷Ｌの制御が可能であるとともに、必要に応じてソケット33に適宜下方から挿入して無線アダプタ44を接続することにより、負荷Ｌの電源をオンオフする壁スイッチに無線機能を付加できるため、例えばリモコン信号受信回路を固定的に実装した構成に比べ、初期の設備投資を軽減でき、高機能を容易に付加することができる。言い換えれば、無線アダプタ44を備えた状態で無線機能を有するスイッチ装置11について、無線アダプタ44を取り外した状態でも、センサなどの操作部31により所定の信号を送って負荷Ｌの制御が可能な埋込配線器具形状のスイッチ装置11を提供できる。
【００４４】
さらに、ソケット33は、無線アダプタ44のプラグ45が外部に露出しない状態で接続されるとともに、いわば下向きに設けられ、下方に開口するため、簡略な構成で、ソケット33の端子33aの部分への塵埃の侵入や付着が抑制され、無線アダプタ44をソケット33に確実に接続できる。
【００４５】
また、ソケット33は、装置本体18の表面側に突出して設けられ、無線アダプタ44はスイッチ装置11すなわちカバー20の表面側に露出して取り付けられるため、ＢＬＵＥＴＯＯＴＨ（登録商標）規格などの比較的小形化が困難な無線アダプタ44についても、装置本体18の内部の物理的空間を他の部材のために確保でき、スイッチ装置を容易に構成することができる。
【００４６】
また、このスイッチ装置11の装置本体18は、ＪＩＳ規格で定められた３モジュール構造の配線器具形状で、１連用の汎用的なスイッチボックス15やサポート16を用いて設置が可能であり、コストを低減することができる。
【００４７】
また、リモコンを壁スイッチと一体とするような構成よりも、無線アダプタ44は取り外し頻度が格段に小さいので、経年使用においても、無線アダプタ44とソケット33との機械的接続の信頼性が低下することはない。
【００４８】
なお、上記の実施の形態では、操作部31は、センサースイッチである近接スイッチを備えたが、この構成に限られず、操作部31として人感センサやワイヤレスリモコンの受信部を用い、あるいは、機械式などのプッシュスイッチやレバースイッチを用いることもできる。例えば、人感センサについては、操作部31を、焦電センサなど人体の存否を検出できる人体検出部とし、この人体検出部である操作部31からの人感信号に応じて、制御部23に負荷制御信号を発生させることができるとともに、無線アダプタ44を用いて、人体の検出状態を外部に送信し、屋外から家屋内の人の存否を確認することもできる。また、ワイヤレスリモコンを用いる構成については、操作部31を、ワイヤレスリモコンから送信される赤外線を受信する赤外線受信部とし、この赤外線受信部である操作部31が受信したリモコン信号に応じて、制御部23に負荷制御信号を発生させることができる。また、操作部31を各種センサあるいは赤外線受信部とする場合には、カバー20の窓部31aはレンズとすることができる。
【００４９】
さらに、この操作部31をユニット式とし、各種のスイッチ手段、例えばプッシュスイッチと人感センサとを選択的に取り付け可能として、汎用性を向上することもできる。
【００５０】
また、この操作部31は、スイッチ手段としての複数の機能を兼ね備えさせることもできる。例えば、操作部31を、赤外線ワイヤレスリモコンから送信される赤外線を受信する赤外線受信部とする構成において、この操作部31の窓部31aを、押動操作可能なプッシュスイッチとすることもできる。
【００５１】
さらに、操作部31について、スイッチ手段としての機能の他、無線アダプタ44の位置を保持するストッパなど他の機能を持たせることもできる。
【００５２】
また、上記の各実施の形態において、カバー20の形状を変更し、例えば、カバー20に装着した無線アダプタ44の下方以外の部分を覆う覆い部を設け、塵埃を防止し、外観を向上するなどの効果の向上を図ることもできる。
【００５３】
また、上記の各実施の形態において、無線アダプタ44は、アダプタ本体部46からプラグ45を突設する形状としたが、この構成に限られず、チップ状やカード状とすることもできる。
【００５４】
また、無線アダプタ44の形状や大きさによっては、装置本体18の内部に無線アダプタ44の全体あるいはほぼ全体を収納することもできる。
【００５５】
また、上記の実施の形態では、１連用のスイッチボックス15に配置可能な装置本体18に、各構成を一体的に収納したが、負荷Ｌの容量が例えば３００Ｗを超える場合などには、２連用のスイッチボックス15に配置可能な形状の装置本体18を用い、あるいは、少なくとも操作部31と、無線アダプタ44のソケット33とを設けた装置本体18とは別体に、この装置本体18と接続されるコントローラユニットを設けることができる。
【００５６】
図１１は本発明のスイッチ装置の他の実施の形態を示す説明図である。図１２は同上スイッチ装置のブロック図である。
【００５７】
図１１及び図１２に示すように、この実施の形態では、壁面12の１連用のスイッチボックス15に収納可能なスイッチユニットである装置本体18とは別体に、天井内などにコントローラユニット71が配置され、これら装置本体18とコントローラユニット71とは２芯の例えば直流１２Ｖの弱電の配線72により互いに接続されている。なお、図１１において、破線Ｚ1より上側は、同一部屋内であり、破線Ｚ2より上側は当該部屋を含む同一家屋内である。また、73は家電機器であり、この家電機器73は無線通信機能を有し、無線機器51により直接制御可能なものである。さらに、Ｐは家屋内に配置されたパーソナルコンピュータであり、ホームゲートウェイなどとも呼ばれるアクセスポイント機器55にローカルエリアネットワーク（LAN）で接続され、このアクセスポイント機器55を介して、無線により無線アダプタ44に接続される。また、Ｒはルータであり、インターネット接続業者（ISP）などが管理するもので、インターネットなどのワイドエリアネットワーク（WAN）などのネットワーク54を介してアクセスポイント機器55に接続される。
【００５８】
そして、装置本体18には、図１の構成と同様に、操作部31と、接続部としてのソケット33とを備えているとともに、制御手段を構成する第１の制御部23a、この第１の制御部23aに接続される優先切換手段としての切換部74、通知手段としてのブザー75、及び第１の伝送部76、及び第１の電源部39aなどを備えている。そして、操作部31は、手動操作するたびに状態を反転させる手動操作制御信号を出力するとともに、中止手段を兼ねている。また、ソケット33は、離れた場所からの遠隔操作としてオンまたはオフの無線信号を送受信できるカード状の無線通信カートリッジである無線アダプタ44を接続可能なものであり、このソケット33に無線アダプタ44を装着することにより、通信部が構成され、外部からの操作としての無線信号を送受信可能となり、すなわち、外部からの操作による外部制御信号を第１の制御部23aに入力するとともに、負荷Ｌの状態を外部に送信可能となる。また、第１の制御部23aは、操作部31からの手動操作制御信号及び無線アダプタ44を介した外部制御信号に応じ、負荷制御信号を発生する。そして、第１の電源部39aは、配線72を介して供給される電力に基づき、装置本体18内の各部に電力を供給する。また、第１の伝送部76は、配線72に接続され、第１の制御部23aが発生した負荷制御信号を配線72を介してコントローラユニット71に送信するとともに、コントローラユニット71から配線72を介して送信されてくる負荷監視信号を第１の制御部23aに入力する。
【００５９】
また、コントローラユニット71は、複数系統の入出力が接続可能に構成され、本実施の形態では、スイッチとして、少なくとも外部からの遠隔信号を受信可能な装置本体18が接続可能であるに加え、操作部を有するスイッチである他の手段として、一般的な接点開閉式の壁スイッチである標準スイッチ81が単数あるいは複数接続可能であり、また、人感センサ82が接続可能であり、さらに、負荷Ｌとして、照明装置である第１及び第２の負荷Ｌ1，Ｌ2と、空調装置などの負荷である機器Ｌ3，Ｌ4が接続可能となっている。すなわち、このコントローラユニット71は、配線72を介して装置本体18と通信可能な第２の伝送部84、標準スイッチ81が接続される標準スイッチインターフェース部85、人感センサ82が接続される人感センサインターフェース部86、１００Ｖの商用交流電源に接続される電源端子部88、第１及び第２の負荷Ｌ1，Ｌ2に接続される第１及び第２の負荷端子部91，92、及び機器Ｌ3，Ｌ4に４芯で接続される機器インターフェース部93，94を備えている。さらに、このこのコントローラユニット71は、第２の伝送部84を介して負荷制御信号を受信して各部を制御しまた各部から信号が入力される第２の制御部23b、入力電源から直流電源を生成して各部に供給する第２の電源部39b、第２の制御部23bの動作を直接的に設定可能なスイッチなどを備えた接続設定部96、第２の制御部23bからの負荷制御信号に応じて第１及び第２の負荷Ｌ1，Ｌ2への電源供給をオンオフ制御するスイッチ手段としてのリレーなどを用いた第１及び第２の電源遮断部101，102、負荷電流値あるいは負荷制御信号により第１及び第２の負荷Ｌ1，Ｌ2のオンオフなどの状態を検知するカレントトランスなどにて構成された制御手段を構成する負荷電流検知部である第１及び第２の状態検知部103，104などを備えている。また、これら第１及び第２の電源遮断部101，102は、それぞれ５Ａ（５００Ｗ）までの負荷Ｌを制御できるようになっている。
【００６０】
そして、コントローラユニット71に入力される操作部31及び標準スイッチ81の手動操作制御信号に基づく負荷操作信号は、予め対応された負荷系統のみを制御する。例えば、装置本体18の操作部31は、第１の負荷Ｌ1のみを制御し、壁スイッチである標準スイッチ81は第２の負荷Ｌ2のみを制御する。一方、無線アダプタ44を介する外部からの外部制御信号に基づく負荷操作信号は、系統に関係なく、接続されている任意の系統の負荷Ｌ1〜Ｌ4を選択して制御可能となっている。
【００６１】
すなわち、この構成では、装置本体18の操作部31を操作することにより、第１の負荷Ｌ1である照明装置を入り切り制御できる。また、標準スイッチ81を操作することにより、第２の負荷Ｌ2である照明装置を入り切り制御できる。さらに、室内の携帯電話などの無線機器51により直接的に、あるいは室外のパーソナルコンピュータＰからＬＡＮ経由でアクセスポイント機器55を介して、あるいは、遠隔地の携帯電話などの無線機器51からＷＡＮ経由でアクセスポイント機器55を介して、無線アダプタ44を介する外部からの制御により、任意の系統の負荷Ｌ1〜Ｌ4を選択して制御できる。また、人感センサ82は、接続設定部96の設定などにより、いずれかの負荷Ｌ1〜Ｌ4を人の存在に応じて制御する。
【００６２】
また、装置本体18のブザー75は、第１の制御部23aに制御され、操作部31の操作の際などに確認の音を発するものであるが、特に、この実施の形態では、無線アダプタ44を介する外部からの外部制御信号に基づく負荷操作信号により、負荷Ｌの状態を変更する場合に、外部制御信号を受信した時点から、予め設定された所定時間、例えば数秒程度ブザー75から音を発し部屋内の人すなわち負荷Ｌの使用者である在室者に外部から操作がなされたことを通知し、所定時間すなわち遅延時間の経過後に、装置本体18の第１の制御部23aがコントローラユニット71の第２の制御部23bに負荷操作信号を発信し、負荷Ｌの状態の変更を実行、例えば照明装置を消灯する。
【００６３】
さらに、この所定時間すなわち遅延時間の間に、宅内あるいは室内の在室者にて所定の動作、例えば操作部31の操作などが実行された場合は、外部からの制御は中止すなわちキャンセルされる。すなわち、装置本体18の第１の制御部23aはコントローラユニット71の第２の制御部23bに負荷操作信号を発信しない。
【００６４】
さらに、在宅者あるいは在室者により変更が中止された場合には、発信者である室外の遠隔操作者の無線機器51などに変更が中止された旨の解除通知を送信する。
【００６５】
また、装置本体18の切換部74は、いわば手動優先切換部であり、例えばプッシュスイッチで、在室者がこの切換部74を操作する毎に、外部の操作すなわち無線アダプタ44経由による外部制御信号を受け付ける通常モードと、外部の操作すなわち無線アダプタ44経由による外部制御信号を受け付けない手動優先モードとがサイクリック的に順次切換られる。
【００６６】
そして、この手動優先モードに設定された時点で、あるいは、手動優先モードに設定されている間に外部の無線機器51による外部制御信号を受信した時点などに、発信者である室外の遠隔操作者の無線機器51など外部の制御機器に手動優先モードであることを通知すなわち送信する。たとえば、図１０に示す操作画面60において、手動優先モードに設定された負荷Ｌについては、手動優先モードで外部からは操作できない旨を表示する。
【００６７】
また、装置本体18には、発光ダイオードやネオン管などの表示部を設け、負荷Ｌである照明装置が消灯した状態で表示部を点灯してスイッチの位置を示す構成が知られているが、このような表示部を備えている場合には、手動優先モードに設定された状態で、表示部を点滅させて注意を喚起することにより、手動優先モードの解除し忘れが抑制される。また、所定の時間毎にブザー75などを利用して注意を喚起することもできる。
【００６８】
さらに、手動優先モードに時間制限を設け、手動優先モードが設定された後、所定時間の経過後に自動的に解除され、通常モードに復帰する制御とすることにより、手動優先モードの解除し忘れが防止される。また、この手動優先モードに時間制限を設けるか否かについて、使用者が切換部74などの操作により選択可能とすることもできる。
【００６９】
また、装置本体18の第１の制御部23aは、操作部31の操作と無線アダプタ44を介する外部からの操作が偶然短時間になされた場合の誤動作などを避けるため、操作部31の手動操作制御信号に基づく負荷操作信号と、無線アダプタ44を介する外部からの外部制御信号に基づく負荷操作信号とについて、いずれか一方の負荷操作信号を送信した後、一定時間例えば数秒間は他の負荷操作信号を送信せず、例えば外部制御信号を受信して第１の電源遮断部101を切り換えた場合は、その後の数秒間は手動操作制御信号に基づく第１の電源遮断部101を切り換え制御は行わず、すなわち、外部制御信号と手動操作制御信号とが連続的に発生しても第１及び第２の電源遮断部101，102の連続的な切換動作を行わないように設定されている。
【００７０】
すなわち、操作部31の操作と外部からの操作が偶然連続的に行われた場合、例えば負荷Ｌが照明装置の場合は在室者にとって不快感を与えてしまう。また、短時間内の複数操作例えば１秒以内の電源遮断により照明装置の点灯状態を全点灯、調光、常夜灯、消灯などと順次変化させるいわゆるプルスイッチレス機能を備える照明器具に連続的に操作が行われた場合は、例えば室内の在室者が消灯しようと手動操作しても、手動操作の直前あるいは直後に外部からの操作による外部制御信号を受信すると、第１の電源遮断部101がオフからオンになり、照明装置がプルスイッチレス機能として消灯できない場合がある。また、逆に、室内の在室者が点灯しようと手動操作しても、手動操作の直前あるいは直後に外部からの操作による外部制御信号を受信すると、第１の電源遮断部101がオンからオフになり、点灯できない。そこで、装置本体18の第１の制御部23aは、外部制御信号と手動操作制御信号とが連続的に発生しても連続的な切換動作を行わずないように設定されている。
【００７１】
そして、この実施の形態によれば、無線アダプタ44の駆動には操作部31の駆動よりも大きな電力を要し、また、負荷Ｌ1，Ｌ2を制御するリレーは容量に応じて大形化するが、この構成によれば、装置本体18とは別体のコントローラユニット71を設けたため、コントローラユニット71に負荷Ｌの制御に必要な容量の電源装置及びリレーなどを配置することにより、装置本体18を小形化し、例えば、１連用壁スイッチボックスに収納することも容易になる。すなわち、大きさの制限が小さい天井部などに配置されるコントローラユニット71に第１及び第２の電源遮断部101，102及び第２の電源部39bなどを配置することにより、スイッチング負荷容量などについて容易に必要な容量を確保できる。また、容量の大きな部材をコントローラユニット71側に配置することにより、装置本体18の空間及び電源容量に余裕が生じ、無線通信に必要な電源容量を容易に確保できる。
【００７２】
さらに、コントローラユニット71に装置本体18に加え、必要に応じて、他のスイッチとして標準スイッチ81を接続し、あるいは、複数の装置本体18を接続することにより、１個のコントローラユニット71で複数系統の負荷Ｌの制御が可能になり、初期投資コストを低減することができる。
【００７３】
また、外部の離れた場所からの制御すなわち遠隔操作に基づく外部制御信号に基づく負荷操作信号により、負荷Ｌの状態を変更する場合には、負荷Ｌの直接の使用者すなわち在室者に負荷Ｌの状態の変更を予め通知するとともに変更の中止を可能としたため、利便性を向上でき、在室者の意図に反する動作を防止し、不意に消灯などして在室者に不快感を与えることを防止できる。
【００７４】
さらに、在室者により変更が中止された場合には、室外の遠隔操作者の無線機器51などに変更が中止された旨の解除通知を送信することで、在室者のみならず遠隔操作者の使用勝手を向上できる。
【００７５】
なお、変更の中止については、操作部31の操作による他、専用のキャンセルボタンなどを設けることもできる。また、即時に変更を行う操作と、遅延時間を持たせる操作との区別は、種々の設定が可能であるが、例えば、装置本体18の操作部31の操作については、すなわち、手動操作制御信号に基づく場合は、負荷操作信号を即時送信して変更を即時実行し、無線アダプタ44経由などその他の全ての操作の場合には、遅延時間を設定する構成により、制御を簡略化できる。また、無線アダプタ44経由の外部制御信号に基づく場合について、宅内で操作された場合と宅外で操作された場合、あるいは、負荷Ｌが影響を与える室内で操作された場合と当該室外で操作された場合とで、外部制御信号を別コードとし、使用勝手を向上することもできる。例えば、ホームゲートウェイであるアクセスポイント機器55が適宜の外部制御信号を発信するものとし、室内のパーソナルコンピュータＰの操作の場合には、在室者の意志として変更を即時実行する外部制御信号を発信し、室外のパーソナルコンピュータＰの操作の場合や、宅外からの通信による場合には、遅延時間を設定する外部制御信号を発信するとの制御とすることができる。
【００７６】
また、通知手段としては、ブザー75によるブザー音の他、合成音声、振動、表示部の光の明滅（フラッシュ）、あるいは負荷Ｌの動作例えば照明装置の点滅や調光などにより行うことができる。
【００７７】
また、装置本体18に切換部74を設け、この切換部74を操作することにより、外部の操作すなわち無線アダプタ44経由による外部制御信号を受け付けない手動優先モードに設定することにより、外部の遠隔地からの制御信号により在室中に不意に消灯などして在室者に不快感を与えることを防止できる。また、手動優先モードに設定された旨を、外部の制御機器に送信して表示することで、在室者のみならず遠隔操作者の使用勝手を向上できる。さらに、この手動優先モードに設定されている点を、表示部などで表示し、あるいは、所定時間が経過した時点で自動的に手動優先モードを解除することにより、手動優先モードの解除し忘れを抑制あるいは防止することができる。
【００７８】
なお、優先切換手段である切換部74は、プッシュスイッチの他、スライドスイッチなどの機械式スイッチ、在室者の近傍の携帯などの外部機器の操作による外部制御信号、操作部31の長押しや所定の短時間内の複数操作例えば１秒以内の電源遮断などの特定の動作により実現できる。また、切換部74は、装置本体18の表面に配置する他、通常は扉に覆われた内部に配置することもできる。
【００７９】
また、装置本体18の第１の制御部23aは、外部制御信号と手動操作制御信号とが連続的に発生しても連続的な切換動作を行わずないように設定されているため、操作部31の操作による信号と、無線アダプタ44経由の信号とが競合して誤動作が生じることを抑制でき、離れた場所からの遠隔操作と在室者の手動操作とによる連続的な操作による誤動作を抑制できる。
【００８０】
なお、操作部31の操作すなわち手動操作制御信号を受け付けない期間については、例えば消灯時に点灯する発行ダイオードなどの表示部を点滅などさせて在室者に通知し、利便性を向上することができる。
【００８１】
なお、これら図１１及び図１２を用いて説明した各制御については、図１ないし図１０に示す構成についても適用できる。
【００８２】
また、各実施の形態において、無線アダプタ44介して装置本体18と通信可能な外部機器として、時計機能を有する外部機器を用い、この外部機器に照明器具などの負荷Ｌのタイムスケジュールを設定し記憶させておくことにより、この外部機器から、該当する装置本体18に設定された時間に設定された制御信号を送信して、照明器具などの負荷Ｌを目的の状態に制御し、照明器具などの負荷Ｌのタイムスケジュール制御を容易に実現できる。例えば、赤外線リモコン送信機に時計機能を持たせる構成では、各部屋にそれぞれ赤外線リモコン送信機を配置しなければならないが、無線アダプタ44を利用することにより、宅内の負荷Ｌの総合的なタイムスケジュール制御を容易に実現できる。
【００８３】
さらに、時計機能を有する外部機器としては、アクセスポイント機器55などを介して宅内サーバに接続された機器を利用する他、宅外の設備、例えば携帯電話の通信業者などの外部通信業者のサーバ機器を利用し、あるいは、外部通信業者のサーバ機器を経由した機器を利用することにより、正確で複雑な制御を容易に実現できる。
【００８４】
また、制御部23，23a，23bは、状態検知部である負荷電流検知部25及び第１及び第２の状態検知部103，104などにより、負荷Ｌの電流値及び電圧値を監視し、これら負荷Ｌの状態と、スイッチ部26及び第１及び第２の電源遮断部101，102などの状態とを関連させて判断することにより、負荷Ｌである機器の種別を判別し、また、負荷Ｌである機器の異常を検知することなどができる。
【００８５】
例えば、制御部23，23a，23bは、スイッチ部26などを制御して、１秒以内などの短い時間の電源遮断である瞬断状態を生成するとともに、この瞬断状態の前後の負荷Ｌの電流値及び電圧値を監視することにより、負荷Ｌがいわゆるプルスイッチレス機能を有しているか、そして、このプルスイッチレス機能が正常に機能しているか、また、負荷Ｌである照明装置のランプ切れなどの異常がないかを検出することができる。
【００８６】
すなわち、負荷電流検知部25からの信号及び負荷制御信号を用い、瞬断状態を生成させた後の電流値の変化すなわち負荷電流検知部25が生成する負荷電流検知信号の変化から、負荷Ｌである照明装置がプルスイッチレス機能を有しているかを判別する。その後、瞬断状態を生成させた後の負荷電流検知信号に正常な変化が発生しない場合、例えば、消灯から点灯に変化する場合に電流値が変化しない場合などには、ランプ切れと判断する。そして、ランプ切れなどの異常を検出した場合には、この「ランプ切れ」などの異常の情報を無線アダプタ44経由で外部の機器に送信し、予めランプの購入などの対策を促すことにより、利便性を向上できる。
【００８７】
また、負荷Ｌがいわゆるプルスイッチレス機能を有している照明装置の場合、照明装置に直接的に設けられたスイッチあるいはリモコンなどの操作により消灯状態に設定されている場合があり、この場合には、近接センサなどの操作部31を備えた装置本体18では、消灯状態の解除のための瞬断状態を生成する操作が容易でなく、使い勝手が悪い場合がある。
【００８８】
そこで、制御部23，23a，23bは、負荷電流検知部25からの信号である負荷電流検知信号及び負荷制御信号の両信号から負荷Ｌの状態を判断し、負荷Ｌである照明装置側の操作で消灯状態などに設定されていることを検出した場合には、制御部23，23a，23b側の制御で瞬断状態を生成し、消灯状態などの状態を解除して点灯させ、使い勝手を向上することができる。すなわち、制御部23，23a，23bは、負荷電流検知信号及び負荷制御信号の両信号を判断材料とし、負荷制御信号がオンを指示する状態であるにもかかわらず、負荷電流検知信号が僅かな電流値を示す場合は、負荷Ｌである照明装置側の操作にて消灯操作が実行されていると判断する。そして、この状態で、点灯の指示として、操作部31の操作による手動操作制御信号あるいは無線アダプタ44を介した外部制御信号を受信した場合には、負荷制御信号として、スイッチ部26などにて瞬断状態を生成させ、ランプを点灯させることができる。このように、負荷Ｌの照明装置側に設けられた消灯手段にて消灯操作された場合にも、壁スイッチである装置本体18の操作で自動的に点灯させることが可能になり、また、外部からの遠隔操作による点灯制御信号で点灯状態に切り換えることも可能になり、使い勝手を向上できる。
【００８９】
ここで、制御部23，23a，23bは、負荷電流検知部25で電流値を検出し、１度の瞬断状態で電流値が変化しない場合は、再度瞬断状態を生成して状態を確認する。このように、制御部23，23a，23bは、瞬断状態を複数回発生させ、それでも負荷Ｌの電流値が変化しない場合には、装置本体18などに設けた表示部の発光ダイオードなどを点滅表示させて、装置本体18側では制御できない旨を在室者に通知し、また、無線アダプタ44経由で外部の機器に負荷Ｌの制御ができない制御不可状態であることを送信して通知し、利便性を向上することができる。
【００９０】
さらに、負荷電流検知部25などにて負荷Ｌの電流及び負荷Ｌの電圧を測定することにより、負荷Ｌの消費電力を算出し、この消費電力の値を随時無線アダプタ44経由で外部の機器に適宜送信して監視可能とし、さらには、アクセスポイント機器55などに接続された宅内統括サーバなどの制御機器により、複数の装置本体18から送信された消費電力信号を受信させ、すなわち、複数の装置本体18からの消費電力情報を総合して、宅内の全照明器具電力量などの総電力量を算出して監視し、予め決められた電力値を超過した場合に、所定の装置本体18に対して指示の信号を送信して、消灯あるいは調光制御を行う外部制御信号を生成させるとの、電力モニターのシステム、すなわち電力値に応じたいわゆるデマンドコントロールを行う照明制御システムを容易に実現できる。
【産業上の利用可能性】
【００９１】
本発明は、壁面などの造営面に設置されるスイッチ装置として用いることができる。
【図面の簡単な説明】
【００９２】
【図１】本発明のスイッチ装置の一実施の形態を示すブロック図である。
【図２】同上スイッチ装置の造営面に取り付けた状態の説明図である。
【図３】同上スイッチ装置の無線アダプタを取り外した状態の正面図である。
【図４】同上スイッチ装置の無線アダプタを取り外した状態の底面図である。
【図５】同上スイッチ装置の無線アダプタを取り付けた状態の正面図である。
【図６】同上スイッチ装置のカバーの一部を取り外した状態の側面図である。
【図７】同上スイッチ装置のカバーの一部を取り外した状態の正面図である。
【図８】同上スイッチ装置のカバーの一部を取り外した状態の底面図である。
【図９】同上スイッチ装置の動作を示す説明図であり、（a）は無線アダプタを取り外した状態、（b）は無線アダプタを取り付けた状態である。
【図１０】同上スイッチ装置を操作する外部の無線機器の操作画面の説明図である。
【図１１】本発明のスイッチ装置の他の実施の形態を示す説明図である。
【図１２】同上スイッチ装置のブロック図である。
【符号の説明】
【００９３】
11    スイッチ装置
12    造営面としての壁面
23    制御手段を構成する制御部
23a   制御手段を構成する第１の制御部
25    制御手段を構成する負荷電流検知部
26    スイッチ手段を構成するスイッチ部
31    操作手段としての操作部
33    接続部としてのソケット
44    無線アダプタ
74    優先切換手段としての切換部74
101   スイッチ手段としての第１の電源遮断部
102   スイッチ手段としての第２の電源遮断部
Ｌ    負荷
【図１】
2006134841.tif 000003
【図２】
2006134841.tif 000004
【図３】
2006134841.tif 000005
【図４】
2006134841.tif 000006
【図５】
2006134841.tif 000007
【図６】
2006134841.tif 000008
【図７】
2006134841.tif 000009
【図８】
2006134841.tif 000010
【図９】
2006134841.tif 000011
【図１０】
2006134841.tif 000012
【図１１】
2006134841.tif 000013
【図１２】
2006134841.tif 000014